(57)【要約】この発明は、ワンピース又はツーピースのハウジングであって、ハウジングの断面から突出してフロントパネルに当接する少なくとも１個のフランジを一方の側面に有するハウジングと、フロントパネルに関して前部及び／又は後部にある少なくとも１個の差込コネクタ容器と、少なくとも１個の差込コネクタ用強制的固定可脱拘束機構とを有し、光ファイバ差込コネクタ用であり、前面からフロントパネルに挿入しバネにより拘束することのできる連結アダプタに関する。アダプタは、３つの全ての型を選択受容する単一差込連結器として作ってもよく、或いはＬＸ．５及びＬＣ型プラグの選択受容用二重差込プラグとして作ってもよい。アダプタの側壁上の可動要素に配置されたＬＸ．５型プラグのカバーを操作するためのピンを有する。さらに、ハウジングに回転可能かつ取り外し可能に取り付けられた蓋により閉じられることが可能であり、また、フロントパネルの背後を掴み、かつフロントパネルから係止バネを取り外すために、ハウジングに配置され、かつ前面から操作可能な係止バネを有することも可能である。
2005501289.tif 000002
【特許請求の範囲】
【請求項１】
−ワンピース又はツーピースのハウジングであって、ハウジングの断面から突出してフロントパネルに当接する少なくとも１個のフランジを一方の側面に有するハウジングと、
−フロントパネルに関して前部及び／又は後部にある少なくとも１個の差込コネクタ容器と、
−少なくとも１個の差込コネクタ用強制的固定可脱拘束機構とを有し、
光ファイバ差込コネクタ用であり、前面からフロントパネルに挿入しバネにより拘束することのできる連結アダプタにおいて、
各差込コネクタ容器（１、２）が、３つの異なる型ＬＸ．５、ＬＣ及びＭＵの差込コネクタ（７、８、９）のうち少なくとも２種を選択受容する開口、及びそれぞれの場合にその型に適合する拘束機構（２７、２８、２９）を有することを特徴とする連結用アダプタ。
【請求項２】
ＬＸ．５及びＬＣ（７、８）型用の拘束機構（２７、２８）がアダプタ（３、３´、３´´）の同一側（４０２）に配置されている、請求項１に記載のアダプタ。
【請求項３】
アダプタ（３、３´、３´´）が３種（７、８、９）全てを選択受容する単一差込連結器として作られている、請求項１又は２に記載のアダプタ。
【請求項４】
アダプタがＬＸ．５及びＬＣ（７、８）型プラグの選択受容用二重差込連結器として作られている、請求項１又は２に記載のアダプタ。
【請求項５】
ＬＸ．５（７）型プラグのカバーを操作するためのピン（４２）が、アダプタの側壁（４０１）上の可動要素（４２１）に配置されている、請求項１〜４のいずれか一項に記載のアダプタ。
【請求項６】
可動要素（４２１）が、一体のバネ要素として側壁（４０１）に形成される、請求項５に記載のアダプタ。
【請求項７】
容器（１、２）の開口が、ハウジング（４、３０、４０）に回転可能かつ取り外し可能に取り付けられた蓋（６、６０、６２）により閉じられる、請求項１〜６のいずれか一項に記載のアダプタ。
【請求項８】
回転可能かつ取り外し可能な蓋（６、６０、６２）が、ハウジング（４、３０、４０）の外部のスナップ動作装置（４６）に挿入される、請求項１〜７のいずれか一項に記載のアダプタ。
【請求項９】
蓋（６、６０、６２）が、識別板（６７）を入れるためのガイドを外側に有する、請求項１〜８のいずれか一項に記載のアダプタ。
【請求項１０】
アダプタが、ハウジング（４、３０、４０）に配置され、かつ前面から操作可能な少なくとも１個の係止バネ（５、５´）を具え、フロントパネルの背後を掴み、かつフロントパネルから係止バネ（５、５´）を取り外す、請求項１に記載のアダプタ。
【請求項１１】
係止バネ（５、５´）が、フランジ（４１）の開口内及びフロントパネル（１０、１１）内を延在する、支持されていない弾性舌部（５１）として作られている、請求項１〜１０のいずれか一項に記載のアダプタ。
【請求項１２】
係止バネ（５、５´）は、ハウジング（４、３０、４０）の周りを少なくとも３つの側面（４０１、４０２、４０３）で掴み、フランジ（４１）を貫いて延在し、かつ一体部品として弾性舌部（５１）を具えるバネフレーム（５０、５５）を有する、請求項１〜１１のいずれか一項に記載のアダプタ。
【請求項１３】
プラグ容器（１、２）が開口部で最大のハウジング断面積部（３３）を形成し、ハウジング表面がバネフレーム（５０、５５）の一部と当接するセットバック部を有するフランジ（４１）の方向に設けられ、装着されたバネフレームがプラグ容器（１、２）においてハウジング（４、３０、４０）の断面（３３）を越えて突出しないようにアダプタが作られている、請求項１〜１２のいずれか一項に記載のアダプタ。
【発明の詳細な説明】
【技術分野】
【０００１】
この発明は、ワンピース又はツーピースのハウジングであって、ハウジングの断面から突出してフロントパネルに当接する少なくとも１個のフランジを一方の側面に有するハウジングと、フロントパネルに関して前部及び／又は後部にある少なくとも１個の差込コネクタ容器と、少なくとも１個の差込コネクタ用強制的固定可脱拘束機構とを有し、光ファイバ差込コネクタ用であり、前面からフロントパネルに挿入しバネにより拘束することのできる連結アダプタに関する。
【背景技術】
【０００２】
光ファイバプラグ用の連結器又はアダプタは、光ファイバをレーザ光源に接続する。この種の連結器は通常ハウジングの壁又はフロントパネルに固定されており、その結果、光ファイバプラグ用プラグ容器がフロントパネルの両面に設けられる。最近まで、この種の光ファイバコネクタはＳＣプラグ又はＳＣコネクタの形状で製造されることが多かった。
【０００３】
しかし、これらのコネクタは、ＬＸ．５、ＬＣ及びＭＵと表記される、より小型のものと次第に置き換えられつつある。（非特許文献１）。
【０００４】
ＬＣコネクタはＩＥＣ６１７５１−２０において標準化されており、ＭＵコネクタはＩＥＣ６１７５１−６において標準化されている。ＬＸ．５プラグは未だ標準化されていない。ＬＸ．５は米国のＡＤＣテレコミュニケーションズ社の登録商標である。この種のプラグは特性が向上している（非特許文献２）。
【０００５】
ＳＣコネクタ及び対応する連結器は特許文献１に記載されている。差込コネクタは、光ファイバ位置決め装置が所望の位置に到達すると、コネクタの両端の凹部と嵌合する阻止カムによりその両端を連結器内に保持される。ＳＣ単式コネクタ用のアダプタには、連結器内にレーザ光に対するシャッタが設けられている。
【０００６】
非特許文献３には、型式「シャッタ付ＢＳＣ  ＩＩ−アダプタ」である、ＳＣコネクタ用連結器が掲載されている。シャッタとは、ＳＣコネクタの挿入の際に、レーザ光により接続具が損傷するのを防止するために、プラグ受容穴の前面に回転可能に取り付けられたフラップを意味するものと理解される。シャッタにはレーザに関する警告が記されている。
【０００７】
特許文献２には、２個の部品からなるＭＵコネクタ用の連結器と、対応する開口に押し込まれた際、連結器の一方の側面から突き出したフランジに隣接して付勢されたバネが、フロントパネルの背面で連結器を拘束することにより、フロントパネルに固定することができる小型のＳＣコネクタとが記載されている。差込コネクタは、ＳＣコネクタと同様の方法により連結器内に保持される。
【０００８】
特許文献３には、上記の形式の光ファイバーコネクタ及び連結器が記載されている。コネクタの前面に、連結器内に配置された戻りバネに対向するレーザシャッタを通過した直後に自動的に開くカバーを有する、より小型のＬＸ．５型コネクタが示されている。挿入段階において、差込コネクタ内の光ファイバを露出させて、アダプタとは反対側にある差込コネクタに光を導くために、連結器の内部に固定して突出する、差込コネクタのピンが、バネによって閉止されたカバーを押し開く。コネクタは、それぞれコネクタ及び連結器の長軸の側方に配置された、連結器上の相補的に形成された留め金に、差込コネクタのハウジング上の弾性レバーの２個の特殊なカムが嵌合し、これによって互いに引っ掛かる。コネクタのレバーにより、留め金からカムを解除することができる。
【０００９】
ＬＣコネクタは特許文献４からも公知である。これらのＬＣコネクタは、コネクタの一方の側部の中央に配設された固定及び解放レバー機構を有しており、これによって、コネクタが挿入された際に連結器内に生じる強制的連結を解放することができる。コネクタが連結器内の所望の位置に到達すると、レバーの側方に配置された２個のキーが、連結器内の反対側に位置するキー溝内に嵌合し、連結が生じる。これらの連結器は、フロントパネルに装着するためのフランジ及び係止バネも有する。
【００１０】
サイズの大きなＳＣ連結器の代わりに、ＬＸ．５、ＬＣ又はＭＵコネクタ用の２個の連結器をフロントパネルに嵌め合わせることができる。異なるユーザの異なるシステムにおいて、差込コネクタの幾つかは規格化されているが、一緒にやってきても同じ連結器に嵌め合わせることのできない異なった差込コネクタがある。
【００１１】
２００１年８月１７日の時点で、ＦＣ、ＳＴ、ＳＣ、ＳＭＡ、Ｄ４及びＢＩＣＯＮＩＣ型の差込コネクタ用ユニバーサルアダプタ体系を非特許文献４に見ることができる。ＳＴ又はＦＣ型を、フロントパネルにおいて、互いに又はＤＩＮ若しくはＥ２０００プラグインコネクタに連結することができるようにするユニバーサルパネル取付けアダプターが非特許文献５に広告宣伝されている。また、ねじリングを有する光ファイバ用スリップオンフェルールを単純に機械的にねじることによってＭＵ型をＬＣ型に連結するアダプタも刻刻宣伝されている。アダプタの取付け及び取外しは、時間がかかる上、特に小型差込コネクタの場合には、ＳＣコネクタの場合にはフェルールが２．５ｍｍであるのに対して、フェルールの直径が１．２５ｍｍしかないので、器用さを必要とする。
【００１２】
２００１年８月６日１５時３０分の時点で、非特許文献６には、単一又は二重用途向け整合アダプタを有するＬＣプラグ及びＭＵプラグとともに、フロントパネルに取り付け可能で、かつ前面にＬＣプラグを受容可能なプラグを、背面にＳＣプラグを受容可能なプラグを有するＳＣ−ＬＣアダプタ装置が記載されている。この継手は、一旦フロントパネルに前面から取り付けられ、拡張バネによりフロントパネルの後方に引っ掛けられると、取り外しが不可能又は非常に困難となる。この種の固定は、全ての継手がねじ込みではない場合に主として遭遇する。
【００１３】
前記の連結器及びコネクタの場合には、光ファイバの接続を切り離すことなく、フロントパネルからこれらを取り外す方法は明らかではない。
【００１４】
【特許文献１】
米国特許第５，３１７，６６３号明細書
【特許文献２】
欧州特許出願公開第０  ５９０  ５８６号明細書
【特許文献３】
国際公開第００／１６１４５号パンフレット
【特許文献４】
欧州特許出願公開第１  ０９１  ２２６号明細書
【非特許文献１】
インターネット広告、２００１年８月６日１５時２５分、インターネット＜URL:http://www.bicsi.org/prico8/sld001.htm〜sld035.htm＞
【非特許文献２】
インターネット発表、２００１年８月６日１５時２８分、インターネット＜URL:http://stele.adc.com/Library/Literature/1236.pdf＞
【非特許文献３】
インターネット、２００１年８月６日１５時３５分、インターネット＜URL:http://www.molex.com＞
【非特許文献４】
インターネット＜URL:http://www.fiberplus.com/cpakit.htm>
【非特許文献５】
インターネット広告、＜URL:http://www.fiberplus.com/upa.htm>
【非特許文献６】
インターネット、＜URL:http://www.senko.com/senkoadv/>
【発明の開示】
【発明が解決しようとする課題】
【００１５】
したがって、この発明は、公知の差込コネクタ及び連結器の利点を有するが、これらの欠点を回避したアダプタを提供するという課題に基づくものである。
【課題を解決するための手段】
【００１６】
基本的な問題は、この発明にしたがって、請求項１の特徴により解決される。この発明の展開は、従属請求項に取り上げられる。
【００１７】
一般的なアダプタ向けの解決方法は、まず、各差込コネクタが、３つの異なる型ＬＸ．５、ＬＣ及びＭＵの差込コネクタのうち少なくとも２種を選択受容する開口、及びそれぞれの場合にその型に適合する拘束機構を有することからなる。
【００１８】
差込コネクタの拘束システム、並びにその位置、形状及び機能が異なるので、広範な先行技術及びこの種の差込コネクタの世界的拡大によって実証されるように、この解決方法は公知ではなく、かつ驚くべきものである。
【００１９】
この解決方法は、ＬＸ．５及びＬＣ型用の拘束機構が連結器の同一側に配置されており、並びにＭＵ型用の拘束機構が９０°オフセットされてアダプタの他方の側に取り付けられている場合に、最も単純に実現することができる。
【００２０】
また、これにより、アダプタが３種全てを選択受容する単一差込連結器として作られており、フェルールの位置によって、ＬＸ．５及びＬＣ型プラグの選択受容用アダプタのみを二重差込連結器として作ることが決まるという程度にまで展開することが可能となる。
【００２１】
ＬＸ．５型プラグのカバーを操作してピンを収容する上での問題点は、アダプタの側壁上の可動要素に前記ピンを配置することにより、好ましくは一体のバネ要素として側壁に形成された可動要素により解決される。しかし、この要素を異なるように作ってもよく、例えば、ＬＸ．５の場合を除いて、差込コネクタによりピンを挿入方向に移動してもよい。
【００２２】
この発明の展開において、埃又はレーザ光から保護するために、必要に応じて連結器を閉止することを意図するものである。この発明によれば、容器の開口は、ハウジングに回転可能かつ取り外し可能に取り付けられた蓋により閉じることができるからである。このため、ハウジング外部のスナップ動作装置、例えば留め金を嵌合する孔の中に蓋を挿入することが好ましい。挿入される差込コネクタの種類又は警告に関するもの等の銘文のために、蓋は、識別板を入れるためのガイドを外側に有する。
【００２３】
さらに、アダプタは、装着及び取り外しを単純にするために、前面からフロントパネルに取り外し可能に取り付けることができるように意図されている。このため、既にそれ自体進歩性のある方法で、アダプタは、ハウジングに配置され、かつ前面から操作可能な係止バネを具え、フロントパネルの背後を掴み、かつフロントパネルから係止バネを取り外す。
【００２４】
係止バネは、フランジの開口内及びフロントパネル内を延在する、支持されていない弾性舌部として作ることが好ましい。装着して連結を確立するために、この場合には係止バネがハウジングの周りを少なくとも３つの側面で掴み、フランジを貫いて延在し、かつ一体部品として弾性舌部を具えるバネフレームを有する。
【００２５】
この種の設計が必要とする空間をできる限り少なくするために、プラグ容器が開口部で最大のハウジング断面積部を形成し、ハウジング表面がバネフレームの一部と当接するセットバック部を有するフランジの方向に設けられ、装着されたバネフレームがプラグ容器においてハウジングの断面を越えて突出しないように、アダプタを作る。このようにして取り付けられた連結器は、レーザ接続を中断することなく、フロントパネルから取り外すことができる。
【発明を実施するための最良の形態】
【００２６】
概略図を参照しつつ、例示的実施態様に基づき、当業者のために、この発明を説明し、それによって解決される課題を説明する。
【００２７】
同一の参照数字は、同一又は類似の機能の部品を示す。部品の概略図は、実物と比較して約５〜２０倍の係数で拡大されている。
【００２８】
図１は、原則的に、ここでは、２つの鏡像反転すると同一な前ハウジング部３１及び後ハウジング部３２からなる共通ハウジング３０を有するユニバーサルアダプタ３として作られた、光ファイバコネクタ用の空の連結器を、複数のオフセットした長軸断面で示すものである。これらはフランジ４１で当接し、例えばそこで接着的に結合し、さもなければ係止スプリング５又はそのフレーム５０により互いに保持されるのみである。あるいは、部品３１、３２の強制的連結３４（図３ｂ）が可能である。
【００２９】
スタブとして作られたフランジ４１により、弾性舌部５１がハウジング４の表面４０２のクリアランスの中心を貫通する。前記舌部は、金属バネフレーム５０に一体に取り付けられており、その拡張端５２は、それから突出し、フロントパネル１０（図６）の背後で嵌合し、その結果アダプタ３をフロントパネルに拘束するラグ５３を有する。クリップ５４に加わる圧力により、ラグ５３は取り外され、差込コネクタをアダプタ３から取り外すことなくアダプタをフロントパネルから引き出すことができる。
【００３０】
ハウジングは一体とすることもできるが、これは２つの差込コネクタ容器１及び２を、それぞれ前後に有する。原則的に、この図は、ハウジングの壁厚の違いを除いて、図２の単一アダプタ及び図６の二重アダプタと同一である。開口及びアダプタの壁の側方ガイドの断面積は、ＬＣ、ＬＸ．５及びＭＵ型の差込コネクタ７、８及び９の断面積に合わせる。
【００３１】
差込コネクタ容器１、２の開口の延長に、フェルール又は光ガイド２０の位置決め装置４３がハウジングに収容されている（図３ａ、３ｂ）。取付け者が不注意でレーザ光を覗かないように、アダプタは、バネ４５により視認阻止位置に保たれ、かつ差込コネクタ又は蓋により押し下げることのできるレーザシャッタ４４を含む（図３ａ）。孔４６は、蓋６、６０（図３ａ）又は６２（図６）の係止ピン６１の嵌合の役目をする。
【００３２】
カバーピン４２はそれ自体従来技術から公知であり、ＬＸ．５差込コネクタ８のカバー（図示せず）を開く役目を果たす。カバーピン４２は支持されずに装着された可撓移動可能な舌部４２１の端部に配置されており、この舌部４２１は、ハウジング３０の側壁４０１と一体の部分であり、図４及び５で説明するようにして反応する。ＬＸ．５差込コネクタ８の拘束機能２８は（図３ｂ及び６）、ハウジング３０上に、その上面４０２の凹部であり、内部に可撓レバー８２の２個のカム８１を嵌合可能な留め金４８を具える。
【００３３】
ＭＵ差込コネクタ９の拘束機構２９は、ハウジングの側壁４０１に阻止カム４９を具える。このカムは、差込コネクタ９の凹部（図示せず）に嵌合し、このようにして連結器内にコネクタを拘束する。ＬＣ差込コネクタ７の拘束機構２７を図３ａに示す。
【００３４】
図２は、蓋６０、ＬＣ差込コネクタ７及び係止バネ５´を具えるアダプタ３´を、単一コネクタとして示す。単一ハウジング４０は、側壁４０３の面、及びフランジ４１とハウジング最大断面部３３の間の上面４０２に、差込コネクタ容器１、２の開口に近接して、凹部を有することが明瞭に示されている。この凹部にはバネフレーム５０が位置し、したがってハウジングの最大断面部３３の程度を越えて突出することはない。
【００３５】
図３ａは、アダプタの容器１に蓋６０を有し、後方容器２に完全に挿入されたＬＣ差込コネクタ７を有し、その結果、光ガイド２０が位置決め装置４３に関して中心にある、この単一アダプタ３´を長軸断面で示しており、他方、図３ｂは、蓋がないが、挿入されたＬＸ．５差込コネクタ８を有する単一アダプタ３´を示す。
【００３６】
ＬＣ差込コネクタ７は、プラグハウジング７０上の拘束機構２７に、両側面にカム７２を具える拘束レバー７３を有しており、このレバーは、図示した位置に差込コネクタがある場合にハウジング４０上の留め金４７の後方に嵌合する。解放レバー７１により拘束レバー７３に圧力が加わる結果、可撓性プラスチックからなるレバーが下方に移動し、カム７０が留め金４７から外れて、差込コネクタを引っ張ることができる。
【００３７】
図３ｂは、同様の状況にある完全に挿入されたＬＸ．５差込コネクタ８を示しているが、明確にするためにカバーを外して示している。光ガイド２０及び位置決め装置４３は同一軸上にあり、拘束機構２８は作動中である。プラグハウジング８０の両側面の解放レバー８１にはカム８２が取り付けられており、これがアダプタハウジング４０の留め金４８に嵌合しており、可撓性解放レバー８１を押し下げると、再び嵌合が外れる。
【００３８】
図４は、連結ハウジング４内に２個の光ガイド２０を同時かつ平行に接続する二重アダプタ３´´を示す。
【００３９】
図５は、図２、３ａ、３ｂと類似のアダプタ３´を示しており、ＭＵ差込コネクタ９が部分的に挿入されているが、図１を参照して説明した拘束機構を有していない。
【００４０】
図４において、ＬＸ．５差込コネクタ８が上側に、ＬＣ差込コネクタ７が下側に図示されている。コネクタのユニバーサル差込に必要なカバーピン４２は、ＬＸ．５コネクタ８の場合には、それ自身のカムウエー８３を有しており、そのため、ハウジング４に対してその位置を維持する。他方、ＬＣコネクタ７又はＭＵコネクタ９の場合には、コネクタがアダプタに押し込まれる間、コネクタは、カバーピン４２に抗してハウジング７０又は９０の縁と当接する。図４ａは、ＬＣコネクタ７に対する、及び鏡像反転すればＭＵコネクタ９に対する円中のカバーピンに関して、この状態を拡大し、位置的に正しい詳細図として示す。コネクタがアダプタ内にさらに押し込まれると、カバーピン４２を有する可撓性舌部４２１が側方に押されて、差込コネクタ７又は９の通路を空ける。ここでの側壁は、例えば、外面をバネフレーム５０又は５５のみにより囲まれた舌部４２１のみからなる。
【００４１】
図６は、二重ハウジング４を有するアダプタ３´´を示しており、このアダプタ３´´はフロントパネル１０の開口１１にはめ込まれて、アダプタ３´´を包囲するバネフレーム５５のバネ５´により拘束されている。既に説明したように、バネ５´のクリップ５４を押すことによって拘束機構を解放することができる。
【００４２】
図４に示すように、後方にはそれぞれＬＣ及びＬＸ．５型の２個のコネクタ７及び８が挿入されており、前方では蓋６２が、アダプタ又はそれらの両方の開口を同時に閉じている。
【００４３】
一般に蓋６は、又はそれぞれ図３ａ及び６に従う単一コネクタに対しては蓋６０及び二重コネクタに対しては蓋６２は、好ましくは可撓性プラスチックからなり、ハウジング４、３０、４０の孔に止まって締結する係止ピン６１、及び接合された可撓性クリップ６３を有しており、このクリップ６３は、蓋の遮蔽部６４、６４´が、アダプタの開口の開閉すると同時に、埃に対する保護、及びアダプタがレーザシャッタ４４を具えていない場合にはアイガードとしても働くように、これを旋回するためのものである。前部６５は識別板６７を挿入するためのガイド６６を有しており、識別板６７には、アダプタ、又は挿入されるべき差込コネクタ等の型式に関する銘又は識別が施されている。
【図面の簡単な説明】
【００４４】
【図１】この発明に従うアダプタのオフセットした長軸断面の斜視図である。
【図２】挿入されたＬＣ差込コネクタを背面に、蓋を前面に有する、この発明に従う第１単一アダプタの斜視平面図である。
【図３ａ】図２のアダプタの長軸断面図である。
【図３ｂ】蓋を取り外した状態で示す、図２のアダプタの長軸断面図であるが、ＬＣ差込コネクタをＬＸ．５差込コネクタに交換した。
【図４】図２のアダプタの長軸断面図であるが、蓋を外し、ＬＣ及びＬＸ．５差込コネクタを部分的に挿入した。
【図４ａ】ＬＸ．５コネクタ用係止ピンの詳細を示す。
【図５】図２の単一アダプタの断面図であるが、蓋を外し、ＭＵ型の差込コネクタを部分的に挿入した。
【図６】背面に挿入されたＬＣ及びＬＸ．５型差込コネクタ並びに識別ベアリング蓋を前面に有する、フロントパネルに挿入された二重アダプタの前面から見た斜視平面図である。
【符号の説明】
【００４５】
１  差込コネクタ容器、前
２  差込コネクタ容器、後
３、３´、３´´  アダプタ
４  二重アダプタのハウジング
５、５´  係止バネ
６  蓋
７  ＬＣ差込コネクタ
８  ＬＸ．５差込コネクタ
９  ＭＵ差込コネクタ
１０  フロントパネル
１１  開口
２０  光ガイド
２７  ＬＣ拘束機構
２８  ＬＸ．５拘束機構
２９  ＭＵ拘束機構
３０  アダプタハウジング
３１  アダプタ部、前
３２  アダプタ部、後
３３  アダプタ最大断面部
３４  連結器
４０  単一アダプタのハウジング
４０１  側壁
４０２  上面
４０３  側壁
４１  フランジ
４２  カバーピン
４２１  舌部
４３  位置決め装置
４４  レーザシャッタ
４５  バネ
４６  孔
４７  ＬＣコネクタの留め金
４８  ＬＸ．５コネクタの留め金
４９  ＭＵコネクタの阻止カム
５０  単一コネクタのバネフレーム
５１  弾性舌部
５２  端
５３  ラグ
５４  クリップ
５５  二重コネクタのバネフレーム
６０  単一コネクタの蓋
６１  係止ピン
６２  二重コネクタの蓋
６３  クリップ
６４、６４´  遮蔽部
６５  前部
６６  ガイド
６７  識別板
７０  プラグハウジング
７１  解放レバー
７２  カム
７３  拘束レバー
８０  プラグハウジング
８１  解放レバー
８２  カム
９０  プラグハウジング
【国際公開パンフレット】
2005501289.tif 000003
2005501289.tif 000004
2005501289.tif 000005
2005501289.tif 000006
2005501289.tif 000007
2005501289.tif 000008
2005501289.tif 000009
2005501289.tif 000010
2005501289.tif 000011
2005501289.tif 000012
2005501289.tif 000013
2005501289.tif 000014
2005501289.tif 000015
2005501289.tif 000016
2005501289.tif 000017
2005501289.tif 000018
2005501289.tif 000019
2005501289.tif 000020
2005501289.tif 000021
【国際公開パンフレット（コレクトバージョン）】
2005501289.tif 000022
2005501289.tif 000023
【国際調査報告】
2005501289.tif 000024
2005501289.tif 000025
2005501289.tif 000026
2005501289.tif 000027
2005501289.tif 000028
2005501289.tif 000029
2005501289.tif 000030
2005501289.tif 000031
2005501289.tif 000032
2005501289.tif 000033